(57)【要約】      （修正有）【課題】ゲートウェイ装置の設置場所の変更により配下の端末のＩＰアドレスの変更が生じても、各端末に対して個別に設定変更を不要とする。【解決手段】複数の端末が接続され、独自プロトコルで通信を行う第１のネットワークと、複数の端末を管理する複数の端末管理用サーバが接続され、所定のインターネットプロトコルで通信を行う第２のネットワークと、複数の端末に割り当てられた第２のネットワークで用いるＩＰアドレスと第１のネットワークで用いるローカル識別情報との関係を登録する対応テーブルを保持し、当該対応テーブルに基づいて、第１のネットワークに接続の複数の端末と第２のネットワークに接続の複数の端末管理用サーバとの間でデータ通信の中継処理を行うゲートウェイ装置とを備える。【選択図】図１
2012175326.tif 000002
【特許請求の範囲】
【請求項１】
複数の端末が接続され、独自プロトコルで通信を行う第１のネットワークと、
前記複数の端末を管理する複数の端末管理用サーバが接続され、所定のインターネットプロトコルで通信を行う第２のネットワークと、
前記複数の端末に割り当てられた前記第２のネットワークで用いるＩＰアドレスと前記第１のネットワークで用いるローカル識別情報との関係を登録する対応テーブルを保持し、当該対応テーブルに基づいて、前記第１のネットワークに接続の前記複数の端末と前記第２のネットワークに接続の前記複数の端末管理用サーバとの間でデータ通信の中継処理を行うゲートウェイ装置と
を備えたことを特徴とするネットワークシステム。
【請求項２】
複数の端末が接続され、独自プロトコルで通信を行う第１のネットワークと、
前記複数の端末を管理する複数の端末管理用サーバが接続され、所定のインターネットプロトコルで通信を行う第２のネットワークと、
前記第２のネットワークで用いるＩＰアドレスを保持し、前記第１のネットワークに接続の前記複数の端末と前記第２のネットワークに接続の前記複数の端末管理用サーバとの間でデータ通信の中継処理を行うゲートウェイ装置と、
前記第２のネットワークに接続され、前記複数の端末のホスト名と所属する前記ゲートウェイ装置のホスト名の関係を登録する対応テーブル１と、前記ゲートウェイ装置のホスト名と前記ＩＰアドレスの関係を登録する対応テーブル２とを保持し、前記複数の端末のホスト名と所属する前記ゲートウェイ装置のＩＰアドレスとを対応付け、前記データ通信の中継処理に供するネームサーバと
を備えたことを特徴とするネットワークシステム。
【請求項３】
請求項２に記載のネットワークシステムにおいて、
前記ゲートウェイ装置は、前記複数の端末のホスト名と前記第１のネットワークで用いるローカル識別情報との関係を登録する対応テーブルを保持し、当該対応テーブルに基づいて、前記第１のネットワークに接続の前記複数の端末と前記第２のネットワークに接続の前記複数の端末管理用サーバとの間でデータ通信の中継処理を行う構成である
ことを特徴とするネットワークシステム。
【請求項４】
独自プロトコルで通信を行う第１のネットワークに接続の複数の端末と、所定のインターネットプロトコルで通信を行う第２のネットワークに接続の複数の端末管理用サーバとの間でデータ通信の中継処理を行うゲートウェイ装置において、
前記複数の端末に割り当てられた前記第２のネットワークで用いるＩＰアドレスまたはホスト名と、前記第１のネットワークで用いるローカル識別情報との関係を登録する対応テーブルを保持し、当該対応テーブルに基づいて前記中継処理を行う構成である
ことを特徴とするゲートウェイ装置。
【請求項５】
独自プロトコルで通信を行う第１のネットワークに接続の複数の端末と、所定のインターネットプロトコルで通信を行う第２のネットワークに接続の複数の端末管理用サーバとの間でデータ通信の中継処理を行うゲートウェイ装置を含むネットワークシステムの第２のネットワークに配置され、
前記ゲートウェイ装置に前記第２のネットワークで用いるＩＰアドレスを割り当て、
前記複数の端末のホスト名と所属する前記ゲートウェイ装置のホスト名の関係を登録する対応テーブル１と、前記ゲートウェイ装置のホスト名と前記ＩＰアドレスの関係を登録する対応テーブル２とを保持し、前記複数の端末のホスト名と所属する前記ゲートウェイ装置のＩＰアドレスとを対応付け、前記データ通信の中継処理に供する構成である
ことを特徴とするネームサーバ。
【請求項６】
請求項５に記載のネームサーバにおいて、
前記対応テーブル１は、前記複数の端末のホスト名と所属する前記ゲートウェイ装置のホスト名の関係をＣＮＡＭＥレコードの形式で登録する構成である
ことを特徴とするネームサーバ。
【請求項７】
請求項６に記載のネームサーバにおいて、
前記対応テーブル１は、前記ゲートウェイ装置の配下に新しい端末が接続されたときに、当該端末のホスト名と前記ゲートウェイ装置のホスト名の関係を示すＣＮＡＭＥレコードをＤＤＮＳ（Dynamic DNS)により動的に更新する構成である
ことを特徴とするネームサーバ。
【請求項８】
独自プロトコルで通信を行う第１のネットワークに複数の端末が接続され、
所定のインターネットプロトコルで通信を行う第２のネットワークに前記複数の端末を管理する複数の端末管理用サーバが接続され、
前記複数の端末に割り当てられた前記第２のネットワークで用いるＩＰアドレスと前記第１のネットワークで用いるローカル識別情報との関係を登録する対応テーブルを保持するゲートウェイ装置で、当該対応テーブルに基づいて、前記第１のネットワークに接続の前記複数の端末と前記第２のネットワークに接続の前記複数の端末管理用サーバとの間でデータ通信の中継処理を行う
ことを特徴とするデータ通信方法。
【請求項９】
独自プロトコルで通信を行う第１のネットワークに複数の端末が接続され、
所定のインターネットプロトコルで通信を行う第２のネットワークに前記複数の端末を管理する複数の端末管理用サーバが接続され、
前記第１のネットワークに接続の前記複数の端末と前記第２のネットワークに接続の前記複数の端末管理用サーバとの間でデータ通信の中継処理を行うゲートウェイ装置が前記第２のネットワークで用いるＩＰアドレスを保持し、
前記第２のネットワークに接続されたネームサーバが、前記複数の端末のホスト名と所属する前記ゲートウェイ装置のホスト名の関係を登録する対応テーブル１と、前記ゲートウェイ装置のホスト名と前記ＩＰアドレスの関係を登録する対応テーブル２とを保持し、前記複数の端末のホスト名と所属する前記ゲートウェイ装置のＩＰアドレスとを対応付けて前記データ通信の中継処理に供する
ことを特徴とするデータ通信方法。
【請求項１０】
請求項９に記載のデータ通信方法において、
前記ゲートウェイ装置は、前記複数の端末のホスト名と前記第１のネットワークで用いるローカル識別情報との関係を登録する対応テーブルを保持し、当該対応テーブルに基づいて、前記第１のネットワークに接続の前記複数の端末と前記第２のネットワークに接続の前記複数の端末管理用サーバとの間でデータ通信の中継処理を行う
ことを特徴とするデータ通信方法。
【発明の詳細な説明】
【技術分野】
【０００１】
本発明は、狭帯域ネットワークに存在する狭帯域かつ膨大な数のセンサ端末やアクチュエータ端末をインターネットに接続するネットワークシステムおよびデータ通信方法、さらに狭帯域ネットワークとインターネットとを中継するゲートウェイ装置およびアドレス管理を行うＤＮＳ（Domain Name System）などのネームサーバに関する。
【０００２】
なお、本明細書では、センサ端末やアクチュエータ端末を「端末」といい、センサ端末やアクチュエータ端末を管理するセンタ・アクチュエータ管理用サーバを「端末管理用サーバ」という。
【背景技術】
【０００３】
ユビキタスネットワークの進展に伴い、またセンサやアクチュエータのモジュールや通信回路の小型化に伴い、例えば 128バイトの情報を１日に数回程度しか通信できないような極めて狭帯域の端末が増えていくことが想定される。今後、インフラとしてこのような端末を数億台の規模でインターネットに接続する技術が必要となる（非特許文献１）。
【０００４】
ここで想定されるネットワークシステムを図５に示す。ゲートウェイ装置１１は、狭帯域ネットワーク１２に存在する端末１３と、インターネット１４に存在するＤＮＳ装置１５および端末管理用サーバ１６との間の中継処理を行う。この端末１３をインターネット１４に接続する方法としては、ＩＰｖ４またはＩＰｖ６を用いるのが一般的である。
【０００５】
本ネットワークシステムでは、端末（センタ端末）１３が持つセンシング情報をインターネット上の端末管理用サーバ１６に送信し、遠隔制御によりインターネット上の端末管理用サーバ１６から端末（アクチュエータ端末）１３に制御情報を送信する。
【先行技術文献】
【非特許文献】
【０００６】
【非特許文献１】斎藤洋他、「広域ユビキタスネットワークインフラストラクチャに向けた考察」、電子情報通信学会論文誌Ｂ、vol.J88-B No.11 pp.2128-2136, 2005年
【非特許文献２】IETF RFC2131 Dynamic Host Configuration Protocol                    http://www.ietf.org/rfc/rfc2131.txt
【非特許文献３】IETF RFC3315 Dynamic Host Configuration Protocol for IPv6 (DHCPv6)                    http://www.ietf.org/rfc/rfc3315.txt
【非特許文献４】IETF RFC2462 IPv6 Stateless Address Autoconfiguration                     http://www.ietf.org/rfc/rfc2462.txt
【非特許文献５】IETF RFC1034 Domain Names - Concepts and Facilities                     http://www.ietf.org/rfc/rfc1034.txt
【非特許文献６】IETF RFC1035 Domain Names - Implementation and Specification                    http://www.ietf.org/rfc/rfc1035.txt
【発明の概要】
【発明が解決しようとする課題】
【０００７】
図５に示すネットワークシステムにおいて、端末１３をインターネット１４に接続する場合は、各端末１３がＩＰアドレスを保持する必要がある。ここで、インターネット１４と狭帯域ネットワーク１２を接続するゲートウェイ装置１１の設置場所の変更に伴い、使用するＩＰアドレスが変わる場合には、ゲートウェイ装置１１の配下のすべての端末１３が保持するＩＰアドレスの設定変更が必要となる。しかし、さまざまな場所に置かれた膨大な数の端末１３のＩＰアドレスを手動で変更することは現実的でない。
【０００８】
一方、端末１３が保持するＩＰアドレスをネットワークを通じて変更するには、非特許文献２，３に示すＤＨＣＰ（Dynamic Host Configuration Protocol ）、非特許文献４に示すＩＰｖ６ステートレス・アドレス自動設定などの通信プロトコルを用いる方法がある。しかし、この方法では、ＩＰアドレス変更のために狭帯域ネットワーク１２では無視できない量の通信トラヒックが発生し、狭帯域ネットワーク１２の通信帯域を圧迫し、データ通信に多大な影響を及ぼすことが懸念される。
【０００９】
また、端末１３がＩＰアドレスを保持する場合、通常のインターネットシステムでは、直接ＩＰアドレスを通信相手の識別子として保持するのではなく、ＦＱＤＮ（Fully Qualified Domain Name ）形式のホスト名で通信相手を識別するのが一般的である。ホスト名で識別される通信相手との通信を開始する際には、当該ホスト名とＩＰアドレスの対応をＤＮＳ装置１５から取得する（非特許文献５，６）。したがって、ＤＮＳ装置１５ではすべての端末１３のホスト名とＩＰアドレスの対応を保持しておく必要がある。このように、端末１３のＩＰアドレスとホスト名の対応をＤＮＳ装置１５で管理しているインターネットシステムにおいて、各端末１３のＩＰアドレスを変更する場合は、ＤＮＳ装置１５が保持する当該ＩＰアドレスとホスト名の対応であるレコードを個別に変更する必要があり、ＤＮＳ装置１５に対する登録変更処理量が膨大となってしまう。
【００１０】
本発明は、ゲートウェイ装置の設置場所の変更により配下の端末のＩＰアドレスの変更が生じても、各端末に対して個別に設定変更を不要とし、またＤＮＳ装置などのネームサーバに対する登録変更処理量を軽減できるネットワークシステムおよびデータ通信方法、ネットワークシステムを構成するゲートウェイ装置およびネームサーバを提供することを目的とする。
【課題を解決するための手段】
【００１１】
第１の発明のネットワークシステムは、複数の端末が接続され、独自プロトコルで通信を行う第１のネットワークと、複数の端末を管理する複数の端末管理用サーバが接続され、所定のインターネットプロトコルで通信を行う第２のネットワークと、複数の端末に割り当てられた第２のネットワークで用いるＩＰアドレスと第１のネットワークで用いるローカル識別情報との関係を登録する対応テーブルを保持し、当該対応テーブルに基づいて、第１のネットワークに接続の複数の端末と第２のネットワークに接続の複数の端末管理用サーバとの間でデータ通信の中継処理を行うゲートウェイ装置とを備える。
【００１２】
第２の発明のネットワークシステムは、複数の端末が接続され、独自プロトコルで通信を行う第１のネットワークと、複数の端末を管理する複数の端末管理用サーバが接続され、所定のインターネットプロトコルで通信を行う第２のネットワークと、第２のネットワークで用いるＩＰアドレスを保持し、第１のネットワークに接続の複数の端末と第２のネットワークに接続の複数の端末管理用サーバとの間でデータ通信の中継処理を行うゲートウェイ装置と、第２のネットワークに接続され、複数の端末のホスト名と所属するゲートウェイ装置のホスト名の関係を登録する対応テーブル１と、ゲートウェイ装置のホスト名とＩＰアドレスの関係を登録する対応テーブル２とを保持し、複数の端末のホスト名と所属するゲートウェイ装置のＩＰアドレスとを対応付け、データ通信の中継処理に供するネームサーバとを備える。
【００１３】
第２の発明のネットワークシステムにおいて、ゲートウェイ装置は、複数の端末のホスト名と第１のネットワークで用いるローカル識別情報との関係を登録する対応テーブルを保持し、当該対応テーブルに基づいて、第１のネットワークに接続の複数の端末と第２のネットワークに接続の複数の端末管理用サーバとの間でデータ通信の中継処理を行う構成である。
【００１４】
第３の発明は、独自プロトコルで通信を行う第１のネットワークに接続の複数の端末と、所定のインターネットプロトコルで通信を行う第２のネットワークに接続の複数の端末管理用サーバとの間でデータ通信の中継処理を行うゲートウェイ装置において、複数の端末に割り当てられた第２のネットワークで用いるＩＰアドレスまたはホスト名と、第１のネットワークで用いるローカル識別情報との関係を登録する対応テーブルを保持し、当該対応テーブルに基づいて中継処理を行う構成である。
【００１５】
第４の発明のネームサーバは、独自プロトコルで通信を行う第１のネットワークに接続の複数の端末と、所定のインターネットプロトコルで通信を行う第２のネットワークに接続の複数の端末管理用サーバとの間でデータ通信の中継処理を行うゲートウェイ装置を含むネットワークシステムの第２のネットワークに配置され、ゲートウェイ装置に第２のネットワークで用いるＩＰアドレスを割り当て、複数の端末のホスト名と所属するゲートウェイ装置のホスト名の関係を登録する対応テーブル１と、ゲートウェイ装置のホスト名とＩＰアドレスの関係を登録する対応テーブル２とを保持し、複数の端末のホスト名と所属するゲートウェイ装置のＩＰアドレスとを対応付け、データ通信の中継処理に供する構成である。
【００１６】
第４の発明のネームサーバにおいて、対応テーブル１は、複数の端末のホスト名と所属するゲートウェイ装置のホスト名の関係をＣＮＡＭＥレコードの形式で登録する構成である。また、対応テーブル１は、ゲートウェイ装置の配下に新しい端末が接続されたときに、当該端末のホスト名とゲートウェイ装置のホスト名の関係を示すＣＮＡＭＥレコードをＤＤＮＳ（Dynamic DNS)により動的に更新する構成である。
【００１７】
第５の発明は、独自プロトコルで通信を行う第１のネットワークに複数の端末が接続され、所定のインターネットプロトコルで通信を行う第２のネットワークに複数の端末を管理する複数の端末管理用サーバが接続され、複数の端末に割り当てられた第２のネットワークで用いるＩＰアドレスと第１のネットワークで用いるローカル識別情報との関係を登録する対応テーブルを保持するゲートウェイ装置で、当該対応テーブルに基づいて、第１のネットワークに接続の複数の端末と第２のネットワークに接続の複数の端末管理用サーバとの間でデータ通信の中継処理を行う。
【００１８】
第６の発明は、独自プロトコルで通信を行う第１のネットワークに複数の端末が接続され、所定のインターネットプロトコルで通信を行う第２のネットワークに複数の端末を管理する複数の端末管理用サーバが接続され、第１のネットワークに接続の複数の端末と第２のネットワークに接続の複数の端末管理用サーバとの間でデータ通信の中継処理を行うゲートウェイ装置が第２のネットワークで用いるＩＰアドレスを保持し、第２のネットワークに接続されたネームサーバが、複数の端末のホスト名と所属するゲートウェイ装置のホスト名の関係を登録する対応テーブル１と、ゲートウェイ装置のホスト名とＩＰアドレスの関係を登録する対応テーブル２とを保持し、複数の端末のホスト名と所属するゲートウェイ装置のＩＰアドレスとを対応付けてデータ通信の中継処理に供する。
【００１９】
第６の発明のデータ通信方法において、ゲートウェイ装置は、複数の端末のホスト名と第１のネットワークで用いるローカル識別情報との関係を登録する対応テーブルを保持し、当該対応テーブルに基づいて、第１のネットワークに接続の複数の端末と第２のネットワークに接続の複数の端末管理用サーバとの間でデータ通信の中継処理を行う。
【発明の効果】
【００２０】
本発明は、ゲートウェイ装置の設置場所の変更があっても、ゲートウェイ装置の対応テーブルのＩＰアドレスを書き換えるだけで、配下の端末のＩＰアドレスの変更が不要であるので、狭帯域ネットワークでＩＰアドレス変更のための通信トラヒックの圧迫によるデータ通信のスループット低下を回避できる。
【００２１】
また、本発明は、ゲートウェイ装置で配下の端末のＩＰアドレスを管理する必要がなく、各端末のホスト名とゲートウェイ装置のホスト名およびＩＰアドレスの関係をネームサーバ（ＤＮＳ装置）に登録することにより、ＩＰアドレス数の限界にとらわれることなく、数万台を超える端末をインターネットに接続することができる。
【００２２】
また、本発明は、ゲートウェイ装置の設置場所の変更に対して、配下の端末の数に関わりなく、ネームサーバ（ＤＮＳ装置）の対応テーブル２のゲートウェイ装置のＩＰアドレスに対する１回のレコード変更で対応でき、登録変更処理量を軽減することができる。
【図面の簡単な説明】
【００２３】
【図１】本発明のネットワークシステムの実施例を示す図である。
【図２】ゲートウェイ装置１１の対応テーブルの例を示す図である。
【図３】ゲートウェイ装置１１の対応テーブルの例を示す図である。
【図４】ＤＮＳ装置１５の対応テーブルの例を示す図である。
【図５】想定されるネットワークシステムの構成を示す図である。
【発明を実施するための形態】
【００２４】
図１は、本発明のネットワークシステムの実施例を示す。
図１において、ゲートウェイ装置１１は、狭帯域ネットワーク１２に存在する端末１３と、インターネット１４に存在するＤＮＳ装置１５および端末管理用サーバ１６との間の中継処理を行う。本実施例では、ゲートウェイ装置１１と端末管理用サーバ１６との間は、インターネット１４で用いられるＩＰｖ４またはＩＰｖ６で通信するが、ゲートウェイ装置１１と端末１３との間は、狭帯域ネットワーク１２に適した独自プロトコルによる通信を行う構成である。したがって、端末１３には、狭帯域ネットワーク１２上のアドレスまたはケーブルなどのローカル識別情報が割り当てられ、狭帯域ネットワーク１２ではＩＰアドレス等のヘッダオーバヘッドの大きいプロトコルを使用することなく通信を行う構成である。なお、端末１３にはＩＰアドレスが割り当てられるが、端末１３の本体にはＩＰアドレスは設定しない。
【００２５】
ゲートウェイ装置１１は、図２に示すように、端末１３のＩＰアドレスとローカル識別情報の対応テーブルを備え、インターネット１４と狭帯域ネットワーク１２との間でアドレス変換を行って通信データを中継する。また、対応テーブルには、必要に応じて、端末１３に個別に対応する端末管理用サーバ１６のＩＰアドレスまたはホスト名を記載してもよい。
【００２６】
これにより、ゲートウェイ装置１１の設置場所の変更に伴い、配下の端末１３のＩＰアドレスが変わる場合でも、各端末１３に対してＩＰアドレスを変更する処理を行うことなく、ゲートウェイ装置１１の対応テーブルのＩＰアドレスを書き換えるだけで対応することができる。すなわち、各端末１３の本体の設定情報にはＩＰアドレスを格納していないため、端末１３の設定を変更する必要がないので、狭帯域ネットワーク１２でＩＰアドレス変更のための通信トラヒックの圧迫によるデータ通信のスループット低下を回避できる。
【００２７】
ただし、図２に示すゲートウェイ装置１１の対応テーブルでは、ゲートウェイ装置１１の配下のすべての端末１３のＩＰアドレスを保持する必要があるが、通常のＯＳの実装ではＩＰアドレスの設定数に限界がある。また、ゲートウェイ装置１１の設置場所の変更により、ゲートウェイ装置１１の対応テーブルの各端末１３のＩＰアドレスの書き換えは必要であり、ＩＰアドレスの設定数に応じて書き換え処理の負荷が大きくなる。
【００２８】
そこで、ゲートウェイ装置１１には、図３に示すように、端末１３のホスト名とローカル識別情報の対応テーブルを備える。なお、本対応テーブルにも、必要に応じて、端末１３に個別に対応する端末管理用サーバ１６のＩＰアドレスまたはホスト名を記載してもよい。
【００２９】
さらに、ＤＮＳ装置１５には、図４に示すように、端末１３のホスト名と所属するゲートウェイ装置１１のホスト名の関係をＣＮＡＭＥレコードの形式で、端末１３の数だけ登録する対応テーブル１と、ゲートウェイ装置１１のホスト名とＩＰアドレスの関係をＡＡＡＡレコードの形式で、ゲートウェイ装置１１の数だけ登録する対応テーブル２を備える。
【００３０】
ＤＮＳ装置１５は事前に対応テーブル２を登録しておき、新しい端末１３の認証時にゲートウェイ装置１１がＤＮＳ装置１５の対応テーブル１のＣＮＡＭＥレコードをＤＤＮＳ（Dynamic DNS)により動的に更新する。
【００３１】
端末管理用サーバ１６が端末１３にアクセスする場合は、ＤＮＳ装置１５の対応テーブル１のＣＮＡＭＥレコードから端末１３のホスト名に対応するゲートウェイ装置１１のホスト名を取得し、対応テーブル２のＡＡＡＡレコードからゲートウェイ装置１１のホスト名に対応するＩＰアドレスを取得する。そして、ゲートウェイ装置１１では、図３に示す対応テーブルから端末１３のホスト名に対応するローカル識別情報を取得する。
【００３２】
ゲートウェイ装置１１の設置場所の変更時は、ＤＮＳ装置１５の対応テーブル２のゲートウェイ装置１１に対応するＡＡＡＡレコードのＩＰアドレスを１箇所変更するだけで、ゲートウェイ装置１１の配下の端末１３ごとの登録情報の変更は不要である。
【００３３】
以上の構成により、ゲートウェイ装置１１で配下の端末１３のＩＰアドレスを管理する必要がなく、各端末１３のホスト名とゲートウェイ装置１１のホスト名およびＩＰアドレスの関係をＤＮＳ装置１５に登録することで対応できるので、ゲートウェイ装置１１が保持・管理するＩＰアドレスの情報量を削減でき、ゲートウェイ装置１１の実装が容易になる。
【００３４】
また、ゲートウェイ装置１１は、端末１３のＩＰアドレスではなくＦＱＤＮ形式のホスト名を保持することにより、ＯＳとして同一インタフェース（ＮＩＣ）に設定可能なＩＰアドレス数の限界にとらわれることなく、ソフトウェアの実装のみで数万台を超える端末１３をインターネット１４に接続することができる。
【００３５】
また、ＤＮＳ装置１５のＣＮＡＭＥレコードは、本来は同一ＩＰアドレスのサーバで複数のサービスの提供に用いられるが、本発明では、複数の端末１３と対応するゲートウェイ装置１１のＩＰアドレス情報を集約する目的で用いる。これにより、ゲートウェイ装置１１の設置場所の変更時にＩＰアドレスが変更になる場合でも、ゲートウェイ装置１１の配下の端末１３の数に関わりなく、ＤＮＳ装置１５の対応テーブル２のゲートウェイ装置１１のＩＰアドレスに対する１回のレコード変更で対応でき、登録変更処理量を軽減することができる。
【００３６】
また、ＤＮＳ装置１５では、対応テーブル１に端末１３と所属するゲートウェイ装置１１の対応関係をＣＮＡＭＥレコードで登録し、対応テーブル２にゲートウェイ装置１１のホスト名とＩＰアドレスの対応関係をＡＡＡＡレコードで登録するが、ＤＮＳの仕様上、端末１３に対応するＡＡＡＡレコードを要求する単一のＤＮＳクエリでこれら両方の情報を取得できるため、１回の情報取得の機能がそのまま維持でき、通常のインターネット通信が可能な装置を容易に接続することができる。
【符号の説明】
【００３７】
１１  ゲートウェイ装置
１２  狭帯域ネットワーク
１３  端末
１４  インターネット
１５  ＤＮＳ装置
１６  端末管理用サーバ
【図１】
2012175326.tif 000003
【図２】
2012175326.tif 000004
【図３】
2012175326.tif 000005
【図４】
2012175326.tif 000006
【図５】
2012175326.tif 000007